(57)【要約】      （修正有）【課題】容器上部が平坦な形状でなくとも安定した状態で上下方向に積み重ねることができ、また、積み重ねても組み立てた形状を保持できる包装用容器の提供である。【解決手段】シート材を折り曲げて組み立てる包装用容器１１であって、複数の側板２１ａ、２１ｂ、２２ａ、２２ｂによって多角筒状をなし、上方及び下方が開口する側部２０と、側部２０の上方の開口を閉鎖する、上方へ膨らむ凸形状の蓋部３０と、側部２０の下方の開口を閉鎖する、蓋部３０の形状に略沿う凹形状の底部４０とを備え、蓋部３０に底部４０が嵌って、上下方向に積み重ね可能とする。【選択図】図２
0003223745.tif 000002
【実用新案登録請求の範囲】
【請求項１】
シート材を折り曲げて組み立てる包装用容器であって、
複数の側板によって多角筒状をなし、上方及び下方が開口する側部と、
前記側部の上方の開口を閉鎖する、上方へ膨らむ凸形状の蓋部と、
前記側部の下方の開口を閉鎖する、前記蓋部の形状に略沿う凹形状の底部と、
を備え、前記蓋部に前記底部が嵌って、上下方向に積み重ね可能とすることを特徴とする、包装用容器。
【請求項２】
前記蓋部は、蓋板を備え、
前記側板の上方の端縁に前記蓋板を連設し、上方へ膨らむように湾曲させて、前記蓋部を形成することを特徴とする、請求項１に記載する包装用容器。
【請求項３】
前記側部は、一方に対向する一対の側板からなる第一側板部と、他方に対向する一対の側板からなる第二側板部とを備え、
前記第一側板部又は／及び前記第二側板部の上方の端縁に、対向する前記蓋板を連設し、前記蓋板同士を係止して前記蓋部を形成することを特徴とする請求項２に記載する包装用容器。
【請求項４】
前記蓋板は、前記側板の上方の端縁を基端部として、凸形状の頂部に向かうに従い前記基端部の幅よりも狭まることを特徴とする、請求項２又は請求項３に記載する包装用容器。
【請求項５】
前記底部は、底板を備え、
前記側板の下方の端縁に、上方へ膨らむ湾曲形状の折曲部を介して前記底板を連設し、前記底板を湾曲させて、前記底部を形成することを特徴とする、請求項１から請求項４のいずれか一項に記載する包装用容器。
【請求項６】
前記側部は、一方に対向する一対の側板からなる第一側板部と、他方に対向する一対の側板からなる第二側板部とを備え、
前記第一側板部又は／及び前記第二側板部の下方の端縁に、対向する前記底板を連設し、前記底板同士を係止して前記底部を形成することを特徴とする、請求項５に記載する包装用容器。
【考案の詳細な説明】
【技術分野】
【０００１】  本考案は、包装用容器に関し、より詳細には、上部が平坦でない形状の容器でも、安定した状態で上下方向に積み重ねる機能を備えた包装用容器に関する。
【背景技術】
【０００２】  従来、商品等の物品を包装する包装用容器として、半円筒形状の筒状紙箱が広く知られている。このような紙箱は、所謂、蒲鉾形を成すもので、円筒の軸方向に設けた底板と、この底板から円弧状に屈曲した側板とで半円筒形状を形成し、この筒体の両端部を施蓋する蓋体を設けるものである（例えば、特許文献１参照）。
【先行技術文献】
【特許文献】
【０００３】
【特許文献１】実用新案登録第３０２６４７２号公報
【０００４】  しかしながら、特許文献１の筒状紙箱では、上部が平坦ではない半円筒形状である一方で、底板は平坦であるために、上下方向に積み重ねれば極めて不安定な状態となる。また、半円筒形状が潰れやすくなってしまうという問題があった。
【考案の概要】
【考案が解決しようとする課題】
【０００５】  本考案は、上記問題を解決すべくなされたものである。本考案の目的は、容器上部が平坦な形状でなくとも安定した状態で上下方向に積み重ねることができ、また、積み重ねても組み立てた形状を保持できる包装用容器の提供である。
【課題を解決するための手段】
【０００６】  本考案の解決しようとする課題は以上の如くであり、次にこの課題を解決するための手段を説明する。【０００７】  第１の考案では、シート材を折り曲げて組み立てる包装用容器であって、複数の側板によって多角筒状をなし、上方及び下方が開口する側部と、前記側部の上方の開口を閉鎖する、上方へ膨らむ凸形状の蓋部と、前記側部の下方の開口を閉鎖する、前記蓋部の形状に略沿う凹形状の底部と、を備え、前記蓋部に前記底部が嵌って、上下方向に積み重ね可能とすることを特徴とする、包装用容器である。【０００８】  第２の考案では、第１の考案であって、前記蓋部は、蓋板を備え、前記側板の上方の端縁に前記蓋板を連設し、上方へ膨らむように湾曲させて、前記蓋部を形成することを特徴とする包装用容器である。【０００９】  第３の考案では、第２の考案であって、前記側部は、一方に対向する一対の側板からなる第一側板部と、他方に対向する一対の側板からなる第二側板部とを備え、前記第一側板部又は／及び前記第二側板部の上方の端縁に、対向する前記蓋板を連設し、前記蓋板同士を係止して前記蓋部を形成することを特徴とする包装用容器である。【００１０】  第４の考案では、第２又は第３の考案であって、前記蓋板は、前記側板の上方の端縁を基端部として、凸形状の頂部に向かうに従い前記基端部の幅よりも狭まることを特徴とする包装用容器である。【００１１】  第５の考案では、第１から第４のいずれかの考案であって、前記底部は、底板を備え、前記側板の下方の端縁に、上方へ膨らむ湾曲形状の折曲部を介して前記底板を連設し、前記底板を湾曲させて、前記底部を形成することを特徴とする包装用容器である。【００１２】  第６の考案では、第５の考案であって、前記側部は、一方に対向する一対の側板からなる第一側板部と、他方に対向する一対の側板からなる第二側板部とを備え、前記第一側板部又は／及び前記第二側板部の下方の端縁に、対向する前記底板を連設し、前記底板同士を係止して、前記底部を形成することを特徴とする包装用容器である。
【考案の効果】
【００１３】    本考案によれば、極めて簡単な構成でありながら、容器上部が平坦な形状でなくとも安定した状態で上下方向に積み重ねることができ、また、積み重ねても組み立てた包装用容器の形状を保持できる。
【図面の簡単な説明】
【００１４】
【図１】本考案の包装用容器１１の展開体１の平面図。
【図２】本考案の包装用容器１１の組み立て途中の斜視図。
【図３】本考案の包装用容器１１の下方の開口を閉鎖した状態の斜視図。
【図４】本考案の包装用容器１１の底面図。
【図５】本考案の包装用容器１１の上方の開口を閉鎖した状態の斜視図。
【図６】本考案の包装用容器１１の側面図。
【図７】本考案の包装用容器１１の正面図。
【図８】本考案の包装用容器１１を積み重ねた状態の側面図。
【図９】本考案の包装用容器１１を積み重ねた状態の正面図。
【図１０】本考案のその他の実施形態に係る包装用容器。
【考案を実施するための形態】
【００１５】  次に、本考案の実施の形態について図１から図９を用いて説明する。
【００１６】  以下に説明する本考案の包装用容器１１は、食品等の物品を包装するものとして用いられる。
包装用容器１１は板紙を用いて作成されるものであるが、段ボールシートやプラスチックシートなど他のシート材で作成することもできる。
【００１７】  包装用容器１１は、図１に示す展開体１を組み立てて形成するものである。
包装用容器１１は、側部２０の上方の開口を蓋部３０が閉鎖し、下方の開口を底部４０が閉鎖するものである。
【００１８】  まず、包装用容器１１の構成について、図１に示す展開体１に従って説明する。展開体１の破線は、折曲部を示している。
【００１９】  包装用容器１１の側部は、第一側板部２１と、第二側板部２２とからなる。
第一側板部２１は、組み立て完成状態において対向する側板２１ａと、側板２１ｂとからなる。
第二側板部２２は、組み立て完成状態において対向する側板２２ａと、側板２２ｂとからなる。
具体的には、側板２１ａの右側に折曲部を介して側板２２ａを、側板２２ａの右側に折曲部を介して側板２１ｂを、側板２１ｂの右側に折曲部を介して側板２２ｂを連設している。側板２１ａの左側には折曲部を介して接続板２３を連設している。
【００２０】  包装用容器１１の蓋部３０は、第一蓋板部３１と、第二蓋板部３２とからなる。
第一蓋板部３１は、組み立て完成状態において対向する蓋板３１ａと、蓋板３１ｂとからなる。
第二蓋板部３２は、組み立て完成状態において対向する蓋板３２ａと、蓋板３２ｂとからなる。
具体的には、側板２１ａの上方の端縁を基端部として蓋板３１ａを、側板２２ａの上方の端縁を基端部として、折曲部を介して蓋板３２ａを、側板２１ｂの上方の端縁を基端部として蓋板３１ｂを、側板２２ｂの上方の端縁を基端部として折曲部を介して蓋板３２ｂを連設している。
なお、側板２１ａと蓋板３１ａとの間、及び側板２１ｂと蓋板３１ｂとの間には折曲部を設けていない。
蓋板３１ａは、上方に向かうに従い、基端部よりも幅を狭めている。上方の端縁には、切り込みによって係止フラップ３３ａを形成している。
蓋板３１ｂは、上方に向かうに従い、基端部よりも幅を狭めている。上方の端縁には、切り込みによって係止フラップ３３ｂを形成している。
蓋板３２ａ、蓋板３２ｂは、略台形状に形成している。
組み立て完成状態においては、係止フラップ３３ａと係止フラップ３３ｂの係止によって上方の開口の閉鎖が保持され、係止を解除すれば開放される。
【００２１】  包装用容器１１の底部４０は、第一底板部４１と、第二底板部４２とからなる。
第一底板部４１は、組み立て完成状態において対向する底板４１ａ、底板４１ｂとからなる。
第二底板部４２は、組み立て完成状態において対向する底板４２ａ、底板４２ｂとからなる。
具体的には、側板２１ａの下方の端縁に、上方に膨らんで湾曲する折曲部を介して底板４１ａを、側板２２ａの下方の端縁に、上方に膨らんで湾曲する折曲部を介して底板４２ａを、側板２１ｂの下方の端縁に上方に膨らんで湾曲する折曲部を介して底板４１ｂを、側板２２ｂの下方の端縁に上方に膨らんで湾曲する折曲部を介して底板４２ｂを連設している。
底板４１ａの下方の端縁には、左右端側に係止フラップ４３ａを形成している。そして、中央に係止溝４３ａａを形成している。
底板４１ｂの下方の端縁には、中央に係止フラップ４３ｂを形成している。そして、係止フラップ４３ｂの左右側に係止溝４３ｂｂを形成している。
底板４２ａの下方の端縁には、右端側に係止フラップ４４ａを形成している。
底板４２ｂの下方の端縁には、左端側に係止フラップ４４ｂを形成している。
組み立て完成状態においては、底板４１ａ、底板４１ｂ、底板４２ａ、底板４２ｂを組み合わせて係止することにより、側部２０の下方の開口を閉鎖することができる。
【００２２】  次に、包装用容器１１の組み立てについて図１から図７に従って説明する。
【００２３】  まず、側部２０の組み立てについて説明する。
側部２０は、折曲部に沿って夫々側板２１ａ、側板２１ｂ、側板２２ａ、側板２２ｂ及び接続板２３を折り曲げて、側板２２ｂの内面と接続板２３の外面とを固定して、図２に示すように四角筒状に形成する。この状態において、側部２０の上下端は開口を形成する。
【００２４】  次に、底部４０の組み立てについて説明する。
包装用容器１１の底部４０は、上方に膨らんで湾曲する折曲部に沿って底板４１ａ、底板４１ｂ、底板４２ａ、底板４２ｂを筒状の側部２０の中央側へ折り曲げ、底板４１ｂの係止溝４３ｂｂと底板４２ａの係止フラップ４４ａを係止し、底板４１ｂの係止溝４３ｂｂと底板４２ｂの係止フラップ４４ｂを係止し、底板４１ｂの係止溝４３ｂｂと底板４１ａの係止フラップ４３ａを係止し、底板４１ｂの係止フラップ４３ｂを底板４１ａの係止溝４３ａａに係止する。
この状態において、底板４１ａ、底板４１ｂ、底板４２ａ、底板４２ｂは、図３、図４に示すように、上方に膨らんで湾曲する折曲部に沿って湾曲し、底部４０は凹形状となって、側部２０の下方の開口を閉鎖する。
なお、この状態で平坦面に置いた場合、底板４２ａと底板４１ａとの間の角部Ａ、底板４１ａと底板４２ｂとの間の角部Ｂ、底板４２ｂと底板４１ｂとの間の角部Ｃ、底板４１ｂと底板４２ａとの間の角部Ｄは平坦面に接するが、角部Ａと角部Ｂとの間の辺部、角部Ｂと角部Ｃとの間の辺部、角部Ｃと角部Ｄとの間の辺部、角部Ａと角部Ｄとの間の辺部は平坦面に接しない。
折曲部は、包装用容器１１を上方に積み重ねた場合に、後述する組み立てた蓋部３０の上方に膨らむ凸形状に略沿うように底部２０を凹ませる湾曲の大きさとしている。
【００２５】  次に、蓋部３０の組み立てについて説明する。
まず、蓋部３０は、蓋板３２ａ、蓋板３２ｂを折曲部に沿って側部２０の内側へ略水平に折り曲げる。そして、蓋板３１ａ、蓋板３１ｂを側部２０の内側へ湾曲させ、先端の係止フラップ３３ａと係止フラップ３３ｂを係止すれば、図５に示すように、蓋部３０は上方に膨らむ凸形状となって、側部２０の上方の開口を閉鎖する。
【００２６】  このように組み立てられた閉蓋状態の包装用容器１１の蓋部３０は、第一蓋板部３１（蓋板３１ａ、蓋板３１ｂ）が湾曲しており、図６に示す側面視において上方に膨らんだ凸形状となっている。
また、底部４０は、第二底板部４２（底板４２ａ、底板４２ｂ）が湾曲しており、図６に示す側面視において凹形状となっている。
【００２７】  さらに、このように組み立てられた閉蓋状態の包装用容器１１の蓋部３０は、第一蓋板部３１（蓋板３１ａ、蓋板３１ｂ）が、基端部から凸形状の頂部に向かうに従い幅が狭くなっており、図７に示す正面視においても上方に膨らんだ凸形状となっている。
また、底部４０は、第一底板部４１（底板４１ａ、底板４１ｂ）が湾曲しており、図７に示す正面視においても凹形状となっている。
【００２８】  次に、包装用容器１１の積み重ねについて説明する。
上述のように、組み立てられて閉蓋状態の包装用容器１１は、蓋部３０が上方に膨らんだ凸形状であり、底部４０が蓋部３０の形状に略沿うように形成した凹形状である。
したがって、蓋部３０の凸形状を底部４０の凹形状に嵌めて上下方向に安定して積み重ねることができる。
図８は、包装用容器１１を３段積み重ねた場合の側面図、図９は同じく包装用容器１１を３段積み重ねた場合の正面図である。
【００２９】  このように、本実施形態による包装用容器１１は、シート材による展開体１を折り曲げて組み立てる包装用容器１１であって、複数の側板２１ａ、側板２１ｂ、側板２２ａ、側板２２ｂによって四角筒状をなし、上方及び下方が開口する側部２０と、側部２０の上方の開口を閉鎖する、上方へ膨らむ凸形状の蓋部３０と、側部２０の下方の開口を閉鎖する、蓋部３０の形状に略沿う凹形状の底部４０とを備え、蓋部３０に底部４０が嵌って、上下方向に積み重ね可能とする包装用容器である。
【００３０】  本考案によれば、容器の上部が平坦でない、上方に膨らむ凸形状であっても、底部４０が蓋部３０に略沿う凹形状であるから、蓋部３０に４０底部が嵌って、安定した状態で上下方向に積み重ねることができ、また、積み重ねても組み立てた蓋部３０の凸形状を潰すことなく保持することができる。
【００３１】  また、本実施形態による包装用容器１１の蓋部３０は、側板２１ａの上方の端縁に蓋板３１ａを連設し、側板２１ｂの上方の端縁に蓋板３１ｂを連設し、側板２２ａの上方の端縁に蓋板３２ａを連設し、側板２２ｂの上方の端縁に蓋板３２ｂを連設し、蓋板３１ａ、蓋板３１ｂを上方へ膨らむように湾曲させて、蓋部３０を形成する包装用容器である。
【００３２】  このため、上記の効果に加えて、簡単な組み立て作業で、蓋部を上方に膨らむ湾曲した凸形状とすることができる。
【００３３】  また、本実施形態による包装用容器１１の側部２０は、一方に対向する一対の側板２１ａ、２１ｂからなる第一側板部２１と、他方に対向する一対の側板２２ａ、２２ｂからなる第二側板部２２とを備え、第一側板部２１及び第二側板部２２の上方の端縁に、対向する蓋板３１ａと蓋板３１ｂ、及び蓋板３２ａと蓋板３２ｂを連設し、蓋板３１ａと蓋板３１ｂとを係止して蓋部３０を形成する包装用容器である。
【００３４】  このため、上記の効果に加えて、蓋板３１ａと蓋板３１ｂの係止により蓋部を上方に膨らむ湾曲した凸形状とすることができる。
【００３５】  また、本実施形態による包装用容器１１の蓋板３１ａは、側板２１ａの上方の端縁を基端部として凸形状の頂部に向かうに従い基端部の幅よりも狭まり、蓋板３１ｂは、側板２１ｂの上方の端縁を基端部として、凸形状の頂部に向かうに従い基端部の幅よりも狭まる包装用容器である。
【００３６】  このため、上記の効果に加えて、蓋板３１ａ、蓋板３１ｂの基端部の幅より狭まる端縁によって、包装用容器１１を側板２１ｂ側（前方）又は側板２１ａ側（後方）から見た場合にも、蓋部３０が上方に膨らむ凸形状とすることができる。
【００３７】  また、本実施形態による包装用容器１１の底部４０は、底板４１ａ、底板４１ｂ、底板４２ａ、底板４２ｂを備え、側板２１ａの下方の端縁に、上方へ膨らむ湾曲形状の折曲部を介して底板４１ａを連設し、側板２１ｂの下方の端縁に、上方へ膨らむ湾曲形状の折曲部を介して底板４１ｂを連設し、側板２２ａの下方の端縁に、上方へ膨らむ湾曲形状の折曲部を介して底板４２ａを連設し、側板２２ｂの下方の端縁に、上方へ膨らむ湾曲形状の折曲部を介して底板４２ｂを連設し、底板４１ａ、底板４１ｂ、底板４２ａ、底板４２ｂを湾曲させて、底部４０を形成する包装用容器である。
【００３８】  このため、上記の効果に加えて、底部４０を、簡単な組み立て作業で、蓋部３０の上方に膨らむ凸形状に略沿う凹形状とすることができる。
【００３９】  また、本実施形態による包装用容器１１の底部４０は、側部２０は、一方に対向する一対の側板２１ａ、２１ｂからなる第一側板部２１と、他方に対向する一対の側板２２ａ、２２ｂからなる第二側板部２２とを備え、第一側板部２１、及び第二側板部２２の下方の端縁に、対向する底板４１ａ、底板４１ｂ、底板４２ａ、底板４２ｂを連設し、底板４１ａ、底板４１ｂ、底板４２ａ、底板４２ｂをそれぞれ係止して、底部４０を形成する包装用容器である。
【００４０】  このため、上記の効果に加えて、底板４１ａ、底板４１ｂ、底板４２ａ、底板４２ｂがそれぞれ湾曲した状態で係止され、底部４０の凹形状を確実に保持することができる。
【００４１】  以上、本考案の実施形態について説明したが、本考案はこれらの実施形態に限定されるものではない。
例えば、図１０に示す包装用容器のように、側板２１ａの上縁から上方の開口全体を覆う蓋板３１ａを連設し、上方に膨らむ凸形状に湾曲させて蓋部とすることもできる。また、蓋板の形状は基端部と同幅とすることもできる。
【００４２】  本考案の技術的範囲は、本明細書及び図面に記載した事項から明らかになる考案が真に意図する技術的思想の範囲全体に、広く及ぶものである。
【符号の説明】
【００４３】１          展開体
１１        包装用容器
２０        側部
２１        第一側板部
２１ａ、２１ｂ  側板
２２        第二側板部
２２ａ、２２ｂ  側板
２３        接続板
３０        蓋部
３１        第一蓋板部
３１ａ、３１ｂ  蓋板
３２        第二蓋板部
３２ａ、３２ｂ  蓋板
３３ａ、３３ｂ  係止フラップ
４０        底部
４１        第一底部
４１ａ、４１ｂ  底板
４２        第二底部
４２ａ、４２ｂ  底板
４３ａ      係止フラップ
４３ａａ    係止溝
４３ｂ      係止フラップ
４３ｂｂ    係止溝
４４ａ、４４ｂ  係止フラップ
Ａ、Ｂ、Ｃ、Ｄ  角部
【図１】
0003223745.tif 000003
【図２】
0003223745.tif 000004
【図３】
0003223745.tif 000005
【図４】
0003223745.tif 000006
【図５】
0003223745.tif 000007
【図６】
0003223745.tif 000008
【図７】
0003223745.tif 000009
【図８】
0003223745.tif 000010
【図９】
0003223745.tif 000011
【図１０】
0003223745.tif 000012